(57)【要約】【課題】吸い込み口から吸引された塵埃が、連動装置が配置されている空間に進入してしまうことを確実に防止することができる電気掃除機の吸い込み具を提供する。【解決手段】吸い込み具３は、回転ブラシ１１を配置するための空間を区画する壁体２９と、回転ブラシ１１を回転させるための駆動力を、回転ブラシ１１に伝達する連動装置１２とを備える。連動装置１２は、軸２０に軸受け２６を介して設けられたホルダ２５と、ホルダ２５の一側に配置されたギア２１と、ホルダ２５の他側に配置された駆動輪２７とを備える。壁体２９は、端面に溝２９ｅが設けられている。ホルダ２５は、壁体２９の上記端面に対向する端面に、凸部２５ｂが設けられている。ホルダ２５に設けられた凸部２５ｂは、壁体２９に設けられた溝２９ｅ内に配置される。【選択図】図１０
2013027559.tif 000002
【特許請求の範囲】
【請求項１】
回転ブラシを配置するための空間を区画する第１壁体と、
前記回転ブラシを回転させるための駆動力を、前記回転ブラシに伝達する連動装置と、
を備え、
前記連動装置は、
所定の第１軸に軸受けを介して設けられた第１ホルダと、
前記第１軸に設けられ、前記第１ホルダの一側に配置されたギアと、
前記第１軸に設けられ、前記第１ホルダの他側に配置され、前記回転ブラシに接続された継ぎ手手段と、
を備え、
前記第１壁体は、所定の第１端面に、凸部及び凹部の一方が設けられ、
前記第１ホルダは、前記第１端面に対向する第２端面に、凸部及び凹部の他方が設けられ、
前記第１壁体又は前記第１ホルダに設けられた前記凸部は、前記第１壁体又は前記第１ホルダに設けられた前記凹部内に配置された
電気掃除機の吸い込み具。
【請求項２】
前記第１壁体は、前記第１軸の軸方向に平坦な前記第１端面に、前記軸方向に直交する方向に、凸部及び凹部の一方が設けられ、
前記第１ホルダは、前記軸方向に平坦な前記第２端面に、前記軸方向に直交する方向に、凸部及び凹部の他方が設けられた
請求項１に記載の電気掃除機の吸い込み具。
【請求項３】
前記第１壁体は、前記凸部が前記凹部内に配置される所定の適正位置に前記第１ホルダを案内するためのガイド面を有し、
前記ガイド面は、前記軸方向に平坦に形成された
請求項２に記載の電気掃除機の吸い込み具。
【請求項４】
前記ガイド面は、前記第１端面に、前記第１端面の反対側から斜めに接続された請求項３に記載の電気掃除機の吸い込み具。
【請求項５】
前記連動装置は、
前記ギアと所定の第２軸に設けられた回転体とに巻き掛けられ、前記ギアを前記回転体に連動させるベルトと、
を備え、
前記ガイド面は、前記軸方向に平坦な前記第１ホルダの所定の面が接触した時に、前記第１軸の軸中心が、前記第１ホルダが前記適正位置に配置された時の位置よりも、前記第２軸の軸中心に近接した位置に配置されるように形成された請求項３又は請求項４に記載の電気掃除機の吸い込み具。
【請求項６】
前記第１壁体は、前記適正位置に前記第１ホルダを案内するためのガイド部を有し、
前記ガイド部は、前記ガイド面から突出するように設けられ、前記軸方向に平坦な前記第１ホルダの所定の面が前記ガイド面に接触した時に、前記第１ホルダに、前記軸方向の一側又は他側からのみ接触する
請求項３から請求項５の何れかに記載の電気掃除機の吸い込み具。
【請求項７】
前記連動装置は、
前記ギアと所定の第２軸に設けられた回転体とに巻き掛けられ、前記ギアを前記回転体に連動させるベルトと、
を備え、
前記第１端面は、前記第１軸の軸中心及び前記第２軸の軸中心を含む仮想平面と交差するように形成された請求項３から請求項６の何れかに記載の電気掃除機の吸い込み具。
【請求項８】
前記第１壁体とによって前記第１ホルダを挟み込んで保持する第２壁体と、
を備え、
前記第１ホルダは、前記第２端面の反対側を向く第３端面に、凸部及び凹部の他方が設けられ、
前記第２壁体は、前記第３端面に対向する第４端面に、凸部及び凹部の一方が設けられ、
前記第１壁体及び前記第２壁体、又は、前記第１ホルダに設けられた前記凸部は、前記第１壁体及び前記第２壁体、又は、前記第１ホルダに設けられた前記凹部内に配置された
請求項１から請求項７の何れかに記載の電気掃除機の吸い込み具。
【請求項９】
前記第１壁体は、吸塵用の開口が形成された下ケースに設けられ、
前記第２壁体は、前記下ケースに固定された下蓋に設けられ、
前記下蓋は、前記ギアを下方から覆うように配置された
請求項８に記載の電気掃除機の吸い込み具。
【請求項１０】
前記第１壁体に対向するように設けられ、前記第１壁体とともに、前記ギアを配置するための空間を区画する第３壁体と、
を備え、
前記連動装置は、
前記第１軸に軸受けを介して設けられ、前記ギアの一側に配置された第２ホルダと、
を備え、
前記第３壁体は、前記第１端面と同じ方向を向く第５端面に、凸部及び凹部の一方が設けられ、
前記第２ホルダは、前記第５端面に対向する第６端面に、凸部及び凹部の他方が設けられ、
前記第３壁体又は前記第２ホルダに設けられた前記凸部は、前記第３壁体又は前記第２ホルダに設けられた前記凹部内に配置された
請求項１から請求項９の何れかに記載の電気掃除機の吸い込み具。
【請求項１１】
前記連動装置は、
前記第１軸に設けられた駆動輪と、
を備え、
前記継ぎ手手段は、前記駆動輪の前記回転ブラシ側を向く側面に設けられた
請求項１から請求項１０の何れかに記載の電気掃除機の吸い込み具。
【請求項１２】
請求項１から請求項１１の何れかに記載の吸い込み具を備えた電気掃除機。
【発明の詳細な説明】
【技術分野】
【０００１】
この発明は、電気掃除機の吸い込み具と、この吸い込み具を備えた電気掃除機とに関するものである。
【背景技術】
【０００２】
下記特許文献１には、電気掃除機の吸い込み具に関する従来技術が開示されている。
特許文献１に記載された吸い込み具には、回転ブラシが備えられている。回転ブラシは、じゅうたんや畳の隙間等に入り込んだ塵埃（ごみ）を掻き出すためのものである。特許文献１に記載の吸い込み具では、回転ブラシをモータによって駆動している。回転ブラシをモータの軸に直接接続すると、吸い込み具の全体の幅に対して、吸塵用の開口（吸い込み口）の幅が小さくなってしまう。このため、特許文献１に記載の吸い込み具では、回転ブラシの回転軸をモータの軸と平行に配置し、モータの駆動力を連動装置によって回転ブラシに伝達している。
【先行技術文献】
【特許文献】
【０００３】
【特許文献１】特許第４１０３０９５号公報
【発明の概要】
【発明が解決しようとする課題】
【０００４】
特許文献１に記載された吸い込み具では、吸い込み口から吸引された塵埃が、連動装置が配置されている空間に進入してしまう恐れがあった。連動装置が配置されている空間に塵埃が進入すると、その塵埃が、連動装置を構成するギアやベルトに付着して、磨耗が進行したり、機器の動作を阻害したりする恐れがあった。
【０００５】
この発明は、上述のような課題を解決するためになされたもので、その目的は、吸い込み口から吸引された塵埃が、連動装置が配置されている空間に進入してしまうことを確実に防止することができる電気掃除機の吸い込み具と、そのような吸い込み具を備えた電気掃除機とを提供することである。
【課題を解決するための手段】
【０００６】
この発明に係る電気掃除機の吸い込み具は、回転ブラシを配置するための空間を区画する第１壁体と、回転ブラシを回転させるための駆動力を、回転ブラシに伝達する連動装置と、を備え、連動装置は、所定の第１軸に軸受けを介して設けられた第１ホルダと、第１軸に設けられ、第１ホルダの一側に配置されたギアと、第１軸に設けられ、第１ホルダの他側に配置され、回転ブラシに接続された継ぎ手手段と、を備え、第１壁体は、所定の第１端面に、凸部及び凹部の一方が設けられ、第１ホルダは、第１端面に対向する第２端面に、凸部及び凹部の他方が設けられ、第１壁体又は第１ホルダに設けられた凸部は、第１壁体又は第１ホルダに設けられた凹部内に配置されたものである。
【０００７】
この発明に係る電気掃除機は、上記吸い込み具を備えたものである。
【発明の効果】
【０００８】
この発明によれば、電気掃除機の吸い込み具において、吸い込み口から吸引された塵埃が、連動装置が配置されている空間に進入してしまうことを確実に防止することができる。
【図面の簡単な説明】
【０００９】
【図１】電気掃除機の全体構成を示す図である。
【図２】この発明の実施の形態１における電気掃除機の吸い込み具を示す平面図である。
【図３】この発明の実施の形態１における電気掃除機の吸い込み具を示す底面図である。
【図４】図３に示すＡ部の拡大図である。
【図５】この発明の実施の形態１における電気掃除機の吸い込み具の要部を示す断面図である。
【図６】この発明の実施の形態１における電気掃除機の吸い込み具の要部を示す斜視図である。
【図７】連動装置を示す斜視図である。
【図８】連動装置を示す正面図である。
【図９】連動装置を示す断面図である。
【図１０】下ケースから下蓋を外した状態を示す斜視図である。
【図１１】下ケースの要部を示す斜視図である。
【図１２】下蓋を示す斜視図である。
【図１３】この発明の実施の形態１における電気掃除機の吸い込み具の要部を示す断面図である。
【図１４】連動装置の組み立て作業を説明するための図である。
【発明を実施するための形態】
【００１０】
添付の図面を参照して、本発明を詳細に説明する。各図において、同一又は相当する部分には、同一の符号を付している。重複する説明については、適宜簡略化或いは省略している。
【００１１】
実施の形態１．
図１は電気掃除機の全体構成を示す図である。電気掃除機は、例えば、掃除機本体１、操作体２、吸い込み具３を備えている。
掃除機本体１には、電動送風機４が備えられている。
操作体２は、掃除機本体１と吸い込み具３との間に接続される。操作体２は、例えば、ホース部５、グリップ部６、伸縮パイプ部７により、その要部が構成される。
【００１２】
吸い込み具３は、空気とともに塵埃（ごみ）を吸い込む部分である。吸い込み具３は、操作体２（の伸縮パイプ部７）の先端に取り付けられる。以下に、図２乃至図１４も参照して、吸い込み具３の具体的な構成及び機能について説明する。
【００１３】
図２はこの発明の実施の形態１における電気掃除機の吸い込み具を示す平面図、図３はその底面図である。図４は図３に示すＡ部の拡大図である。図５はこの発明の実施の形態１における電気掃除機の吸い込み具の要部を示す断面図である。図５は、図４のＢ−Ｂ矢視を示している。
【００１４】
吸い込み具３には、例えば、ケース体８（ケース組立）、接続パイプ９、車輪１０、回転ブラシ１１、モータ（図示せず）、連動装置１２が備えられている。
【００１５】
ケース体８は、吸い込み具３の筐体に相当する。ケース体８は、複数の部品（例えば、成型品）から構成される。ケース体８には、その下面に、塵埃を吸い込むための吸塵用の開口（吸い込み口１３）が形成されている。吸い込み口１３は、ケース体８（吸い込み具３）の幅方向に長手を有する長方形状を呈する。ケース体８には、吸い込み口１３の上方位置に、回転ブラシ１１を配置するための空間が形成されている。即ち、この空間が下方に開口した部分が、吸い込み口１３である。
【００１６】
ケース体８には、例えば、下ケース１４、上ケース１５、上蓋１６、下蓋１７及び１８が備えられている。ケース体８の各構成の詳細については後述する。
【００１７】
接続パイプ９は、吸い込み具３を操作体２の（伸縮パイプ部７の）先端に接続するためのものである。接続パイプ９は、円筒状を呈しており、一端部が、ケース体８に回転自在に設けられている。接続パイプ９の中空は、ケース体８の内部空間（回転ブラシ１１を配置するための空間）を介して、吸い込み口１３に通じている。車輪１０は、ケース体８に回転自在に設けられている。
【００１８】
回転ブラシ１１は、じゅうたんや畳の隙間等に入り込んだ塵埃を掻き出すためのものである。回転ブラシ１１は、ケース体８に設けられたモータによって回転駆動される。モータを回転ブラシ１１の側方に設置すると、吸い込み具３の全体の幅に対して、吸い込み口１３の幅が小さくなってしまう。このため、本吸い込み具３では、モータの軸を回転ブラシ１１の回転軸と平行に配置し、モータの駆動力を連動装置１２によって回転ブラシ１１に伝達している。連動装置１２は、回転ブラシ１１の側方、即ち、ケース体８の一側の端部に設けられている。
【００１９】
回転ブラシ１１は、ケース体８に回転自在に設けられている。例えば、回転ブラシ１１の一端部は、連動装置１２に接続されている。回転ブラシ１１の他端部は、ケース体８の他側の端部に取り付けられている。回転ブラシ１１は、回転軸を中心として放射状に、且つ、その回転軸に沿って螺旋状に植毛されている。回転ブラシ１１のこのブラシ体１１ａは、その下端部が、吸い込み口１３から下方に突出するように配置されている。
【００２０】
回転ブラシ１１は、掃除の時に絡み付いた糸くずや髪の毛（紐状体）を簡単に取り除くことができるように、ケース体８に対して着脱自在に構成されている。回転ブラシ１１の取り付け及び取り外しは、ケース体８の側方から行う。図６はこの発明の実施の形態１における電気掃除機の吸い込み具の要部を示す斜視図である。図６は、回転ブラシ１１を取り外して（或いは、取り付けて）いる時の状態を示す図であり、ケース体８の他側の端部を斜め上方から見た図を示している。
【００２１】
ケース体８の他側の端部には、貫通孔８ａが形成されている。貫通孔８ａは、一側がケース体８の内部空間（回転ブラシ１１を配置するための空間）に、他側がケース体８の側方に開口する。回転ブラシ１１を取り外す場合、使用者は、回転ブラシ１１が貫通孔８ａを通過するように、回転ブラシ１１の他端部を持って回転軸方向に移動させ、回転ブラシ１１をケース体８から引き抜く。
【００２２】
１９は回転ブラシ１１に絡み付いた糸くずや髪の毛を取り除くための除去爪である。除去爪１９は、ケース体８の他側の端部に、貫通孔８ａの内側に突出するように設けられている。除去爪１９は、回転ブラシ１１のブラシ体１１ａの間に配置される。回転ブラシ１１をケース体８から引き抜くと、回転ブラシ１１が貫通孔８ａを通過する際に、糸くずや髪の毛が除去爪１９に引っ掛かり、回転ブラシ１１から除去される。
【００２３】
回転ブラシ１１が貫通孔８ａを通過する時、ブラシ体１１ａは、貫通孔８ａを形成する周壁に接触する。このため、ブラシ体１１ａの毛の長さが長いと、回転ブラシ１１をケース体８から引き抜く時に大きな負荷が掛かり、その作業が困難になる。このような理由から、回転ブラシ１１のブラシ体１１ａの毛の長さは、短めに設定されている。
【００２４】
連動装置１２は、モータの駆動力を回転ブラシ１１に伝達する機能を有している。また、連動装置１２は、掃除の時に、吸い込み具３の走行を補助する機能を有している。
なお、回転ブラシ１１の駆動源は、吸い込み具３に備えられたモータに限るものではない。例えば、電動送風機４の吸引力により生じる気流によって回転駆動するタービンを用いて、回転ブラシ１１を駆動しても良い。
【００２５】
回転ブラシ１１のブラシ体１１ａの腰が強い、或いは毛足が長ければ、回転ブラシ１１を回転させることによって、十分な駆動力（掃除の時に吸い込み具３を走行させるための力）を得ることができる。しかし、本吸い込み具３では、回転ブラシ１１をケース体８から引き抜く操作が困難になるため、毛の長さが短いブラシ体１１ａを採用している。ブラシ体１１ａの毛の長さが短いと、掃除の際に十分な駆動力（掃除の時に吸い込み具３を走行させるための力）を得ることができない恐れがある。連動装置１２は、この駆動力の不足分を補い、吸い込み具３の走行を安定させる機能も備えている。
【００２６】
図７は連動装置を示す斜視図、図８はその正面図、図９はその断面図である。
連動装置１２には、例えば、軸２０、ギア２１、ベルト２２、ホルダ２３及び２５、軸受け２４及び２６、駆動輪２７、ブラシ体２８が備えられている。
【００２７】
軸２０は、軸中心が吸い込み口１３の長手方向（吸い込み具３の幅方向）に配置されている。また、軸２０は、モータの軸（図示せず）に対して平行に配置されている。
ギア２１は、軸２０の一端部側に固定されている。ギア２１には、その外周面に、無端状のベルト２２が巻き掛けられている。ベルト２２は、他の軸に設けられた回転体にも巻き掛けられている。この回転体は、モータの軸に連動して回転する。このため、ギア２１（軸２０）は、ベルト２２の移動を介して、モータの軸（上記回転体）に連動して回転する。
【００２８】
ホルダ２３は、軸２０に軸受け２４を介して設けられている。ホルダ２３は、ギア２１の一側に配置されている。ホルダ２３は、軸２０から最も離れた部分（最外部２３ａ）が、軸２０の軸方向から見て、角に丸みを帯びた四角形状を呈している。最外部２３ａの外周面は、軸２０の軸方向に平坦に形成されている。この外周面には、周長方向に沿って、即ち、軸２０の軸方向に直交する方向に、凸部２３ｂが形成されている。凸部２３ｂは、外形が、最外部２３ａよりも一回り大きな四角形状を呈する。凸部２３ｂは、最外部２３ａの一側寄りに形成されている。このため、凸部２３ｂの他側（ギア２１側）には、最外部２３ａの外周面との間に段差が設けられている。
【００２９】
ホルダ２５は、軸２０に軸受け２６を介して設けられている。ホルダ２５は、ギア２１の他側に配置されている。ホルダ２５は、軸２０から最も離れた部分（最外部２５ａ）が、軸２０の軸方向から見て、角に丸みを帯びた四角形状を呈している。最外部２５ａは、ホルダ２３の凸部２３ｂよりも大きな四角形状を呈している。
【００３０】
最外部２５ａの外周面は、軸２０の軸方向に平坦に形成されている。この外周面には、周長方向に沿って、即ち、軸２０の軸方向に直交する方向に、凸部２５ｂが形成されている。凸部２５ｂは、その外形が、最外部２５ａよりも一回り大きな四角形状を呈する。凸部２５ｂは、最外部２５ａの外周面の中央部分に形成されている。このため、凸部２５ｂの一側（ギア２１側）及び他側（駆動輪２７側）には、最外部２５ａの外周面との間に段差が設けられている。
【００３１】
駆動輪２７は、軸２０の他端部側に固定されている。駆動輪２７は、ホルダ２５の他側に配置されている。駆動輪２７は、ケース体８に回転自在に支持されている。駆動輪２７は、軸２０、ギア２１、ベルト２２を介して、モータの軸（上記回転体）に連動して回転する。駆動輪２７には、外周面から突出するようにブラシ体２８が設けられている。ブラシ体２８は、その下端部が、吸い込み口１３から下方に突出するように配置されている。ブラシ体２８がじゅうたん等に接触することにより、吸い込み具３を走行させるための駆動力を発生させる。この時、ブラシ体２８は、ブラシ体１１ａと同様に、じゅうたんや畳の隙間等に入り込んだ塵埃を掻き出す。
【００３２】
回転ブラシ１１は、貫通孔８ａ側を向く駆動輪２７の側面（ギア２１の反対側を向く側面のこと。以下、駆動輪２７の「一側面」という。）に一端面を対向させた状態で、駆動輪２７に接続される。回転ブラシ１１が駆動輪２７に適切に接続されると、回転ブラシ１１の回転軸と駆動輪２７の回転軸とが一致する。
【００３３】
回転ブラシ１１は、駆動輪２７に対して着脱自在に接続される。このため、回転ブラシ１１の上記一端面と駆動輪２７の上記一側面とには、回転ブラシ１１を駆動輪２７に着脱自在に接続するための継ぎ手手段が備えられている。継ぎ手手段は、回転ブラシ１１及び駆動輪２７の接続と接続の解除とを、回転ブラシ１１の回転軸方向への移動によって行う機能を備えている。また、継ぎ手手段は、接続時に、回転ブラシ１１を駆動輪２７に連動させて回転させる機能を備えている。
【００３４】
例えば、継ぎ手手段は、回転ブラシ１１の一端面に形成された嵌合穴１１ｂ、駆動輪２７の一側面に設けられた突起部２７ａによって構成される。
嵌合穴１１ｂは、軸方向（深さ方向）が、回転ブラシ１１の回転軸方向に一致する。
【００３５】
突起部２７ａは、駆動輪２７の一側面から軸２０の軸方向に突出する。駆動輪２７の一側面には、回転ブラシ１１の先端部を収容するための凹部２７ｂが形成されている。突起部２７ａは、凹部２７ｂ内（凹部２７ｂの底面）から突出するように形成されている。突起部２７ａが回転ブラシ１１の嵌合穴１１ｂに軸２０の軸方向から挿入されて適切に嵌め合わされることにより、回転ブラシ１１が駆動輪２７に接続される。回転ブラシ１１が駆動輪２７に適切に接続されると、回転ブラシ１１は、駆動輪２７の回転に連動して回転する。
【００３６】
次に、連動装置１２をケース体８に取り付けるための構成について具体的に説明する。
図１０は下ケースから下蓋を外した状態を示す斜視図である。図１１は下ケースの要部を示す斜視図である。図１１は、図１０の状態から更に連動装置１２を取り外した状態を示している。図１２は下蓋を示す斜視図である。図１３はこの発明の実施の形態１における電気掃除機の吸い込み具の要部を示す断面図である。図１３は、図１０のＣ−Ｃ矢視を示している。図１４は連動装置の組み立て作業を説明するための図である。
【００３７】
下ケース１４は、ケース体８の要部を構成する。下ケース１４は、前側の部分が、断面が円弧状を呈するように湾曲されている。下ケース１４の前側に形成されたこの湾曲部１４ａにより、回転ブラシ１１を配置するための空間（以下、「第１空間」という）の上方側が区画される。即ち、湾曲部１４ａの下方の空間が、上記第１空間である。したがって、吸い込み口１３も下ケース１４に形成されている。
【００３８】
下ケース１４の一側の端部には、上記第１空間の一側を区画するための壁体２９が設けられている。壁体２９の一側には、連動装置１２のギア２１等を配置するための空間（以下、「第２空間」という）が形成されている。壁体２９は、第１空間と第２空間とを区画するための仕切りを構成する。
【００３９】
下ケース１４の一側の端部には、壁体２９よりも更に一側（側方）に、壁体３０が設けられている。壁体３０は、側面が壁体２９の側面に対向するように平行に配置されている。壁体３０は、第２空間の一側を区画する。即ち、壁体２９と壁体３０とに両側が挟まれた空間が、第２空間である。本実施の形態では、壁体３０が、下ケース１４（ケース体８）の側壁（の一部）を構成する場合を一例として示している。
【００４０】
上ケース１５は、下ケース１４の上方を覆うように、下ケース１４に設けられている。回転ブラシ１１を回転駆動させるためのモータやその制御装置は、下ケース１４と上ケース１５との間に配置される。上蓋１６は、上ケース１５の一部を上方から覆うように、上ケース１５に取り付けられている。
【００４１】
下蓋１７は、下ケース１４の他側の端部に設けられている。下蓋１７は、回転ブラシ１１の他端部を下方から覆うように配置される。
【００４２】
下蓋１８は、下ケース１４の一側の端部に設けられている。下蓋１８は、第２空間を区画する。下蓋１８は、ギア２１やベルト２２、ホルダ２３等を下方から覆うように配置される。
【００４３】
下蓋１８には、壁体３１及び３２が平行に設けられている。壁体３１は、下ケース１４の壁体２９に対応して備えられたものである。下蓋１８が下ケース１４に適切に固定されると、壁体３１は、その端面が壁体２９の端面に対向するように配置され、壁体２９とともに一体的な壁面を形成する。壁体３１は、第１空間と第２空間とを区画するための仕切りを構成する。
【００４４】
壁体３２は、下ケース１４の壁体３０に対応して備えられたものである。下蓋１８が下ケース１４に適切に固定されると、壁体３２は、その端面が壁体３０の端面に対向するように配置され、壁体３０とともに一体的な壁面を形成する。壁体３２は、第２空間の一側を区画する。本実施の形態では、壁体３２が、下ケース１４（ケース体８）の側壁（の一部）を構成する場合を一例として示している。
【００４５】
連動装置１２のホルダ２５は、壁体２９及び３１によって上下から挟み込むように保持され、ケース体８に固定される。
壁体２９には、下方を向く端面に、下方に開口する窪み状の取付部２９ａが形成されている。取付部２９ａは、ホルダ２５の最外部２５ａの外形に対応する形状を呈する。取付部２９ａを形成する壁体２９の端面（前側を向く端面２９ｂ、下方を向く端面２９ｃ、後側を向く端面２９ｄ、及びこれらの端面を接続する湾曲面）は、軸２０の軸方向に平坦に形成されている。また、取付部２９ａを形成する壁体２９の端面（前側を向く端面２９ｂ、下方を向く端面２９ｃ、後側を向く端面２９ｄ、及びこれらの端面を接続する湾曲面）には、凹状の溝２９ｅ（凹部）が一続きに設けられている。溝２９ｅは、軸２０の軸方向に直交する方向に形成されている。
【００４６】
壁体３１には、上方を向く端面に、上方に開口する窪み状の取付部３１ａが形成されている。取付部３１ａは、下蓋１８が下ケース１４に適切に固定された際に、取付部２９ａに下方から対向するように設けられている。取付部３１ａは、ホルダ２５の最外部２５ａの外形に対応する形状を呈する。取付部３１ａを形成する壁体３１の端面は、軸２０の軸方向に平坦に形成されている。また、取付部３１ａを形成する壁体３１の端面には、凹状の溝３１ｂ（凹部）が一続きに設けられている。溝３１ｂは、軸２０の軸方向に直交する方向に形成されている。
【００４７】
ホルダ２５は、最外部２５ａの外周面（四方を向く端面、及びこれらの端面を接続する湾曲面）が、取付部２９ａを形成する壁体２９の端面と取付部３１ａを形成する壁体３１の端面とに対向するように配置され、ケース体８に固定される。この時、ホルダ２５の最外部２５ａの外周面から外側に突出する凸部２５ｂは、取付部２９ａに形成された溝２９ｅの内部と取付部３１ａに形成された溝３１ｂの内部とに配置される。
【００４８】
連動装置１２のホルダ２３は、壁体３０及び３２によって上下から挟み込むように保持され、ケース体８に固定される。
壁体３０には、下方を向く端面に、下方に開口する窪み状の取付部３０ａが形成されている。取付部３０ａは、ホルダ２３の最外部２３ａの外形に対応する形状を呈する。取付部３０ａを形成する壁体３０の端面は、軸２０の軸方向に平坦に形成されている。また、取付部３０ａを形成する壁体３０の端面には、凹状の溝３０ｂ（凹部）が一続きに設けられている。溝３０ｂは、軸２０の軸方向に直交する方向に形成されている。
【００４９】
壁体３２には、上方を向く端面に、上方に開口する窪み状の取付部３２ａが形成されている。取付部３２ａは、下蓋１８が下ケース１４に適切に固定された際に、取付部３０ａに下方から対向するように設けられている。取付部３２ａは、ホルダ２３の最外部２３ａの外形に対応する形状を呈する。取付部３２ａを形成する壁体３２の端面は、軸２０の軸方向に平坦に形成されている。また、取付部３２ａを形成する壁体３２の端面には、凹状の溝３２ｂ（凹部）が一続きに設けられている。溝３２ｂは、軸２０の軸方向に直交する方向に形成されている。
【００５０】
ホルダ２３は、最外部２３ａの外周面（四方を向く端面、及びこれらの端面を接続する湾曲面）が、取付部３０ａを形成する壁体３０の端面と取付部３２ａを形成する壁体３２の端面とに対向するように配置され、ケース体８に固定される。この時、ホルダ２３の最外部２３ａの外周面から外側に突出する凸部２３ｂは、取付部３０ａに形成された溝３０ｂの内部と取付部３２ａに形成された溝３２ｂの内部とに配置される。
【００５１】
壁体２９には、連動装置１２（ホルダ２５）を下ケース１４に対して適正位置に案内するためのガイド面３３とガイド部３４とが設けられている。上記適正位置とは、製品時に配置される位置のことである。連動装置１２が下ケース１４に対して適正位置に配置されると、凸部２５ｂが溝２９ｅ内に、凸部２３ｂが溝３０ｂ内に適切に配置される。また、軸２０が、モータの軸に対して平行に配置される。吸い込み具３の製造時、組み立て作業者は、ベルト２２をギア２１（及び、モータに連動する回転体）に巻き掛けた状態で、連動装置１２を上記適正位置に配置しなければならない。ガイド面３３及びガイド部３４は、このような組み立て作業を容易に行うために備えられたものである。
【００５２】
ガイド面３３は、軸２０の軸方向に平坦に形成された壁体２９の端面の一部からなる。ガイド面３３は、取付部２９ａを形成する壁体２９の端面のうち、前側を向く端面２９ｂに対して、その反対側（即ち、ベルト２２が巻き掛けられた上記回転体側）から斜めに接続されている。
【００５３】
ガイド部３４は、ガイド面３３から下方に突出するように設けられている。ガイド部３４は、一側面が、軸２０の軸方向に直交する方向に平坦に形成されている。ガイド部３４のこの一側面は、軸２０の他端部側（第１空間側）を向き、ガイド面３３に直交するように形成されている。
【００５４】
連動装置１２を下ケース１４に取り付ける場合、作業者は、先ず、第１空間が上方に開口するように、下ケース１４を上下逆向きに配置し、ベルト２２をギア２１（及び、モータに連動する上記回転体）に巻き掛ける。次に、ホルダ２５の凸部２５ｂの先端面がガイド面３３に接触するようにホルダ２５をガイド面３３に載せ、ホルダ２５をガイド面３３に沿って取付部２９ａ側に移動させる（図１４（ａ）参照）。
【００５５】
図１４において、３５はベルト２２が巻き掛けられた回転体の軸である。また、Ｄは軸３５の中心と連動装置１２が適正位置に配置された時の軸２０の中心とを結ぶ直線、Ｅは軸３５を中心として描かれた半径Ｄの円（の一部）、Ｆはガイド面３３が、取付部２９ａを形成する壁体２９の端面（前側を向く端面２９ｂ）に接続する位置を示している。
【００５６】
連動装置１２が適正位置に配置されると、ベルト２２には、ギア２１を回転体に連動させるために必要な適度な張力が作用する。言い換えると、ベルト２２がギア２１（及び、モータに連動する上記回転体）に巻き掛けられている状態では、軸２０の軸中心が円Ｅの外側に大きく外れるような位置に、ホルダ２５（連動装置１２）を配置することはできない。このため、ガイド面３３は、凸部２５ｂの先端面がガイド面３３に面接触するようにホルダ２５が配置された時に、軸２０の軸中心が円Ｅの内部に配置されるように形成されている。ホルダ２５がガイド面３３に載せられた時の軸２０は、その軸中心が、ホルダ２５が適正位置に配置された時の位置よりも、軸３５の軸中心に近接した位置に配置される。
【００５７】
本実施の形態では、ガイド面３３に対して、凸部２５ｂの先端面を接触させている。しかし、これは単に一例を示したものである。ガイド面を適切に形成することにより、軸２０の軸方向に平坦な他の面をガイド面に接触させて、ガイド面にホルダ２５の移動を案内させることも可能である。
【００５８】
凸部２５ｂの先端面がガイド面３３に面接触するようにホルダ２５がガイド面３３に載せられると、ガイド部３４が、ホルダ２５の凸部２５ｂにギア２１側から接触する。ホルダ２５の凸部２５ｂに接触するガイド部３４の一側面は、軸２０の軸方向に直交する方向に平坦に形成されている。このため、ホルダ２５は、ガイド面３３に沿って取付部２９ａ側に動かされている間は、ガイド部３４によって、軸２０の軸方向に対する位置が拘束される。
【００５９】
本実施の形態では、ガイド部３４を、ホルダ２５の凸部２５ｂに対して、軸２０の軸方向の一側（ギア２１側）からのみ接触させている。仮に、ガイド面３３に凹状の溝を形成すると、ホルダ２５をガイド面３３に載せる時に凸部２５ｂを上記溝内に配置しなければならず、その作業性が大幅に低下する。本構成であれば、ホルダ２５を少し傾けて第１空間側からホルダ２５をガイド面３３上に配置すれば、ホルダ２５をガイド面３３上に簡単に配置することができる。
【００６０】
ホルダ２５が接続位置Ｆまで移動すると、作業者は、ホルダ２５を接続位置Ｆを中心に回転させながら取付部２９ａ内に配置する（図１４（ｂ）参照）。ガイド部３４の一側面は、端面２９ｂに形成された溝２９ｅ内の側面と同一平面を形成する。このため、凸部２５ｂをガイド部３４の一側面に押し当てた状態でホルダ２５を回転させれば、そのままホルダ２５を適正位置に配置することができる。
【００６１】
ガイド面３３は、直線Ｄの位置に達する前に端面２９ｂに接続されている。即ち、ガイド面３３は、軸２０及び３５の各軸中心を含む平面を仮想した場合に、この仮想平面とは交差しない。上記仮想平面に対しては、取付部２９ａを構成する端面２９ｂが、図１４（ａ）のＧに示す位置で交差する。
【００６２】
ホルダ２５が適正位置に配置されると、ホルダ２５には、ベルト２２によって、軸３５の軸中心の方向（直線Ｄの方向）に力が作用する。適正位置に配置されたホルダ２５を取付部２９ａから外す場合は、この直線Ｄ方向の力に抗して、ガイド面３３と端面２９ｂとの接続部分（接続位置Ｆを含む部分）を乗り越えるように、ホルダ２５をガイド面３３側に移動させなければならない。即ち、適正位置に配置されたホルダ２５は、外力が加わらなければ、取付部２９ａから自然に外れることはない。このため、作業者は、ホルダ２５を適正位置に配置した後は、ホルダ２５（連動装置１２）を手で押さえている必要はなく、ホルダ２５（連動装置１２）から手を離して、下蓋１８を下ケース１４に取り付けることができる。
【００６３】
下蓋１８を下ケース１４に取り付けると、ホルダ２５が壁体２９及び３１によって保持される。また、第１空間は、壁体２９及び３１とホルダ２５とによって、第２空間から完全に区画される。この時、ホルダ２５の最外部２５ａの外周面に形成された凸部２５ｂが、壁体２９及び３１の各端面に形成された溝２９ｅ及び３１ｂ内に配置されてラビリンス構造を形成する。このため、吸い込み口１３から吸引された塵埃が、壁体２９及び３１とホルダ２５との隙間から、上記第２空間に進入することはない。第２空間に配置されたギア２１やベルト２２が、塵埃が付着することによって磨耗したり損傷したりすることを確実に防止することができる。
【００６４】
なお、本実施の形態では、ホルダ２３及び２５側に凸部２３ｂ及び２５ｂを形成したが、凸部を取付部２９ａ、３０ａ、３１ａ、３２ａ側に形成しても良い。かかる場合、ホルダ２３及び２５には、凹状の溝（凹部）が形成される。
【符号の説明】
【００６５】
１  掃除機本体
２  操作体
３  吸い込み具
４  電動送風機
５  ホース部
６  グリップ部
７  伸縮パイプ部
８  ケース体
８ａ  貫通孔
９  接続パイプ
１０  車輪
１１  回転ブラシ
１１ａ  ブラシ体
１１ｂ  嵌合穴
１２  連動装置
１３  吸い込み口
１４  下ケース
１４ａ  湾曲部
１５  上ケース
１６  上蓋
１７、１８  下蓋
１９  除去爪
２０、３５  軸
２１  ギア
２２  ベルト
２３、２５  ホルダ
２３ａ、２５ａ  最外部
２３ｂ、２５ｂ  凸部
２４、２６  軸受け
２７  駆動輪
２７ａ  突起部
２７ｂ  凹部
２８  ブラシ体
２９、３０、３１、３２  壁体
２９ａ、３０ａ、３１ａ、３２ａ  取付部
２９ｂ、２９ｃ、２９ｄ  端面
２９ｅ、３０ｂ、３１ｂ、３２ｂ  溝
３３  ガイド面
３４  ガイド部
【図１】
2013027559.tif 000003
【図２】
2013027559.tif 000004
【図３】
2013027559.tif 000005
【図４】
2013027559.tif 000006
【図５】
2013027559.tif 000007
【図６】
2013027559.tif 000008
【図７】
2013027559.tif 000009
【図８】
2013027559.tif 000010
【図９】
2013027559.tif 000011
【図１０】
2013027559.tif 000012
【図１１】
2013027559.tif 000013
【図１２】
2013027559.tif 000014
【図１３】
2013027559.tif 000015
【図１４】
2013027559.tif 000016